(57)【特許請求の範囲】
【請求項１】
二重ガラスサッシ内に横型ブラインドを配設し、前記横型ブラインドのスラットをモータの正逆転動作に基づいて角度調節可能とした電動内包ブラインドにおいて、
前記モータは、太陽電池の起電力に基づいて充電される電気二重層コンデンサを電源として、コントローラから出力される制御信号に基づいて動作し、前記コントローラは、前記電気二重層コンデンサを電源として動作するように構成され、
前記太陽電池とコントローラをサッシ枠に取着し、前記モータ及び電気二重層コンデンサを前記横型ブラインドのヘッドボックス内に配設したことを特徴とする電動内包ブラインド。
【請求項２】
前記電気二重層コンデンサは、複数の電気二重層コンデンサを並列に接続して構成したことを特徴とする請求項１記載の電動内包ブラインド。
【請求項３】
前記コントローラは、リモコンスイッチから出力される操作信号に基づいて前記制御信号をモータに出力することを特徴とする請求項１または２記載の電動内包ブラインド。
【請求項４】
二重ガラスサッシ内に横型ブラインドを配設し、前記横型ブラインドのスラットをモータの正逆転動作に基づいて角度調節可能とした電動内包ブラインドにおいて、
前記モータは、太陽電池の起電力に基づいて充電される電気二重層コンデンサを電源として動作するように構成され、
前記電気二重層コンデンサを前記横型ブラインドのヘッドボックス内に配設したことを特徴とする電動内包ブラインド。
【発明の詳細な説明】
【０００１】
【発明の属する技術分野】
この発明は、サッシに内包される電動ブラインドに関するものである。
【０００２】
【従来の技術】
電動ブラインドの一種類として、二重ガラスサッシ内に横型ブラインドが配設されたものがある。このようなサッシは、防音性及び断熱性を向上させるために、ガラスサッシの内外で高気密性を確保することが必要となっている。
【０００３】
このため、サッシ表面に太陽電池を配設するとともに、その太陽電池の起電力に基づいて充電されるバッテリーをサッシ内に配設し、バッテリーの充電電力によりモータを作動させてスラットを駆動する構成としたものがある。
【０００４】
【発明が解決しようとする課題】
ところが、上記のような電動内包ブラインドでは、バッテリーの充放電の繰り返しにより、バッテリーが劣化するため、そのバッテリーを定期的に交換する必要がある。
【０００５】
従って、メンテナンスコストが高くなるとともに、バッテリーの収納スペースを確保するために、サッシ枠が大型化するという問題点がある。
この発明の目的は、電源のメンテナンスを不要とする電動内包ブラインドを提供することにある。
【０００６】
【課題を解決するための手段】
請求項１では、二重ガラスサッシ内に横型ブラインドを配設し、前記横型ブラインドのスラットをモータの正逆転動作に基づいて角度調節可能とした電動内包ブラインドにおいて、前記モータは、太陽電池の起電力に基づいて充電される電気二重層コンデンサを電源として、コントローラから出力される制御信号に基づいて動作し、前記コントローラは、前記電気二重層コンデンサを電源として動作するように構成され、前記太陽電池とコントローラをサッシ枠に取着し、前記モータ及び電気二重層コンデンサを前記横型ブラインドのヘッドボックス内に配設した。
【０００８】
請求項２では、前記電気二重層コンデンサは、複数の電気二重層コンデンサを並列に接続して構成した。
【０００９】
請求項３では、前記コントローラは、リモコンスイッチから出力される操作信号に基づいて前記制御信号をモータに出力する。
請求項４では、二重ガラスサッシ内に横型ブラインドを配設し、前記横型ブラインドのスラットをモータの正逆転動作に基づいて角度調節可能とした電動内包ブラインドにおいて、前記モータは、太陽電池の起電力に基づいて充電される電気二重層コンデンサを電源として動作するように構成され、前記電気二重層コンデンサを前記横型ブラインドのヘッドボックス内に配設した。
【００１０】
【発明の実施の形態】
以下、この発明を具体化した電動内包ブラインドの一実施の形態を図面に従って説明する。
【００１１】
図１に示す電動内包ブラインドは、二重ガラスサッシ１内に横型ブラインド２が内包される。前記横型ブラインド２のヘッドボックス３は、二重ガラスサッシ１の上枠４内に配設され、その上枠４からラダーコードを介して多数段のスラット５が吊下支持されている。
【００１２】
前記ヘッドボックス３内には、前記スラット５を角度調節するための角度調節軸６が回転可能に支持され、その角度調節軸６は、ヘッドボックス３の一側に配設されるモータ７により正逆転可能に回転駆動される。
【００１３】
従って、モータ７が作動して、角度調節軸６が回転されると、ヘッドボックス３内のスラット角度調節装置及びラダーコードを介して、各スラット５が同位相で角度調節される。
【００１４】
前記二重ガラスサッシ１内の上部には、太陽電池８が室内に向かって取着されている。前記ヘッドボックス３内には電気二重層コンデンサ９が配設され、前記太陽電池８及びモータ７と電気的に接続されている。
【００１５】
そして、太陽電池８に光が照射されると、その太陽電池８の起電力により前記電気二重層コンデンサ９が充電されるようになっている。
前記太陽電池８の側方にはコントローラ１０が取着され、そのコントローラ１０はリモコンスイッチ１１から発信される操作信号の受信に基づいて、前記モータ７を制御するようになっている。
【００１６】
前記モータ７、太陽電池８、電気二重層コンデンサ９及びコントローラ１０の接続回路を図２に従って説明する。
電気二重層コンデンサ９は、例えば４つのコンデンサが並列に接続され、それらのマイナス側端子はグランドＧＮＤに接続され、プラス側端子は前記コントローラ１０及びモータ７に接続される。
【００１７】
太陽電池８は、そのマイナス側端子がグランドＧＮＤに接続され、プラス側端子はダイオード１２を介して電気二重層コンデンサ９のプラス側端子に接続される。
【００１８】
従って、コントローラ１０及びモータ７は、電気二重層コンデンサ９からの電源供給に基づいて動作する。
また、前記リモコンスイッチ１１から出力される操作信号に基づいて、コントローラ１０からモータ７に制御信号が出力され、モータ７はその制御信号に基づいて動作する。
【００１９】
次に、上記のように構成された電動内包ブラインドの動作を説明する。
太陽電池８に光が照射されると、同太陽電池８で電力が生成され、その電力がダイオード１２を介して電気二重層コンデンサ９、コントローラ１０及びモータ７に供給され、電気二重層コンデンサ９が充電される。
【００２０】
コントローラ１０及びモータ７は、電気二重層コンデンサ９を電源として動作し、リモコンスイッチ１１からコントローラ１０に操作信号が入力されると、コントローラ１０はモータ７に制御信号を出力する。そして、モータ７は入力された制御信号に基づいて動作し、その動作に基づいてスラットが駆動される。
【００２１】
上記のような電動内包ブラインドでは、次に示す作用効果を得ることができる。
（１）太陽電池８で充電される電気二重層コンデンサ９からコントローラ１０及びモータ７に電源を供給することができる。
（２）電気二重層コンデンサ９は、充放電を繰り返しても、前記従来例のバッテリーに比して劣化が少ない。従って、劣化による交換を省略してメンテナンスコストを低減することができる。
（３）電気二重層コンデンサ９は、前記従来例のバッテリーに比して充放電効率が高いため、太陽電池８から出力される電力を効率よく充電することができる。
（４）電気二重層コンデンサ９は、前記従来例のバッテリーに比して外形寸法が小さい。従って、収納スペースを縮小することができるので、サッシ枠の大型化を防止することができる。
【００２２】
上記実施の形態は、次に示すように変更することもできる。
・太陽電池８の取付位置は、前記実施の形態以外に、例えば室外側に向かって取着してもよい。
・前記電気二重層コンデンサ９の取付位置は、二重ガラスサッシ内のサッシ枠の任意位置に取り付けてもよい。
【００２３】
【発明の効果】
以上詳述したように、この発明は電源のメンテナンスを不要とする電動内包ブラインドを提供することができる。
【図面の簡単な説明】
【図１】  一実施の形態の電動内包ブラインドを示す斜視図である。
【図２】  一実施の形態の電気的構成を示す回路図である。
【符号の説明】
１          二重ガラスサッシ
２          横型ブラインド
５          スラット
７          モータ
８          太陽電池
９          電気二重層コンデンサ
【図１】
0003863435.tif 000002
【図２】
0003863435.tif 000003